(57)【要約】【課題】遮光壁等を反射する迷光の量を少なくして、Ｓ／Ｎ比を向上させることができるようにする。【解決手段】検煙部１の内部に光を照射する発光素子２２と、発光素子２２から照射され、検煙部１の煙粒子により生じる散乱光を受光する受光素子２３と、を有し、発光素子２２の発光部の近傍に、発光素子２２の発光部の外径よりも幅狭の縦長スリット３０ａを有して側方への照射光量を制限するアパーチャ３０を設ける。縦長スリット３０ａによって発光素子２２の左右方向への照射光をなくし、遮光壁等を反射する迷光の量を少なくする。【選択図】図１
2010238095.tif 000002
【特許請求の範囲】
【請求項１】
検煙部と、該検煙部の出力信号に基づいて火災を判断する火災判別部と、を有し、前記火災判別部が火災と判断すると火災信号を出力する光電式煙感知器において、
前記検煙部の内部に光を照射する発光素子と、該発光素子から照射され、前記検煙部の煙粒子により生じる散乱光を受光する受光素子と、を有し、
前記発光素子の発光部の近傍に、前記発光素子の発光部の外径よりも幅狭の縦長スリットを有して側方への照射光量を制限するアパーチャを設けたことを特徴とする光電式煙感知器。
【請求項２】
検煙部と、該検煙部の出力信号に基づいて火災を判断する火災判別部と、を有し、前記火災判別部が火災と判断すると火災信号を出力する光電式煙感知器において、
前記検煙部は、実装部と、煙流入部と、を備え、
前記実装部は、
該実装部の内部に光を照射する発光素子と、該発光素子から照射され、前記検煙部の煙粒子により生じる散乱光を受光する受光素子と、を有し、
前記煙流入部は、
該煙流入部に外光が入射することを防止する複数の壁体と、該壁体の間に形成された煙流入口と、を有し、
前記実装部と前記煙流入部とは、
前記煙流入部が下側になるように重ねて配置され、
開口部で連通されている光電式煙感知器であって、
前記発光素子の発光部の近傍に、前記発光素子の発光部の外径よりも幅狭の縦長スリットを有して側方への照射光量を制限するアパーチャを設けたことを特徴とする光電式煙感知器。
【請求項３】
前記発光素子に対向する壁の近傍に、該発光素子から照射された光の反射を繰り返させて減衰させる壁体でなる光トラップを設けたことを特徴とする請求項１又は請求項２記載の光電式煙感知器。
【発明の詳細な説明】
【技術分野】
【０００１】
本発明は、光電式煙感知器、特に遮光壁等を反射する迷光の量を少なくして、Ｓ／Ｎ比を向上させることができる光電式煙感知器に関する。
【背景技術】
【０００２】
従来の散乱光式煙感知器は、複数のラビリンス部材により包囲される領域に検煙室が形成され、発光素子から照射された光がそのまま検煙室に向けて放射されるようになっている（例えば、特許文献１参照）。
【先行技術文献】
【特許文献】
【０００３】
【特許文献１】特開平９−１９８５８４号公報（図１〜図３）
【発明の概要】
【発明が解決しようとする課題】
【０００４】
このように、従来の散乱光式煙感知器は、発光素子からの光がそのまま検煙室に向けて放射されていたため、遮光壁等で反射した迷光の量が多く、Ｓ／Ｎ比が悪かった。
【０００５】
本発明の技術的課題は、遮光壁等を反射する迷光の量を少なくして、Ｓ／Ｎ比を向上させることができるようにすることにある。
【課題を解決するための手段】
【０００６】
本発明に係る光電式煙感知器は、下記の構成からなるものである。すなわち、検煙部と、検煙部の出力信号に基づいて火災を判断する火災判別部と、を有し、火災判別部が火災と判断すると火災信号を出力する光電式煙感知器において、検煙部の内部に光を照射する発光素子と、発光素子から照射され、検煙部の煙粒子により生じる散乱光を受光する受光素子と、を有し、発光素子の発光部の近傍に、発光素子の発光部の外径よりも幅狭の縦長スリットを有して側方への照射光量を制限するアパーチャを設けたものである。
【０００７】
本発明に係る光電式煙感知器は、下記の構成からなるものである。すなわち、検煙部と、検煙部の出力信号に基づいて火災を判断する火災判別部と、を有し、火災判別部が火災と判断すると火災信号を出力する光電式煙感知器において、検煙部は、実装部と、煙流入部と、を備え、実装部は、実装部の内部に光を照射する発光素子と、発光素子から照射され、検煙部の煙粒子により生じる散乱光を受光する受光素子と、を有し、煙流入部は、煙流入部に外光が入射することを防止する複数の壁体と、壁体の間に形成された煙流入口と、を有し、実装部と前記煙流入部とは、煙流入部が下側になるように重ねて配置され、開口部で連通されている光電式煙感知器であって、発光素子の発光部の近傍に、発光素子の発光部の外径よりも幅狭の縦長スリットを有して側方への照射光量を制限するアパーチャを設けたものである。
【０００８】
また、発光素子に対向する壁の近傍に、発光素子から照射された光の反射を繰り返させて減衰させる壁体でなる光トラップを設けたものである。
【発明の効果】
【０００９】
本発明においては、発光素子の発光部の近傍に、発光素子の発光部の外径よりも幅狭の縦長スリットを有して側方への照射光量を制限するアパーチャを設けたので、縦長スリットによって発光素子の左右方向への照射光をなくすことができ、遮光壁等を反射する迷光の量を少なくでき、Ｓ／Ｎ比を向上させることができる。
【００１０】
また、発光素子に対向する壁の近傍に、発光素子から照射された光の反射を繰り返させて減衰させる壁体でなる光トラップを設けたので、検煙部に照射された光が遮光壁等を反射する迷光の量を少なくでき、Ｓ／Ｎ比をさらに向上できる。
【図面の簡単な説明】
【００１１】
【図１】本発明の一実施の形態に係る火災警報器の検煙部を上下逆にして示す分解斜視図である。
【図２】本発明の一実施の形態に係る火災警報器の検煙部の下面図である。
【図３】図２のＡ−Ａ線矢視断面図である。
【図４】図２の側面図である。
【図５】図４のＢ−Ｂ線矢視断面図である。
【図６】本発明の一実施の形態に係る火災警報器の煙流入部の下面図である。
【図７】本発明の一実施の形態に係る火災警報器の実装部の下面図である。
【図８】本発明の一実施の形態に係る火災警報器の縦長スリットを有するアパーチャの正面図である。
【発明を実施するための形態】
【００１２】
以下の実施の形態では、光電式煙感知器の構成に押し釦スイッチやブザー等の警報装置を設けた火災警報器に本発明を実施した場合について説明する。
【００１３】
図１は本発明の一実施の形態に係る火災警報器の検煙部を上下逆にして示す分解斜視図、図２はこの火災警報器の検煙部の下面図、図３は図２のＡ−Ａ線矢視断面図、図４は図２の側面図、図５は図４のＢ−Ｂ線矢視断面図、図６はこの火災警報器の煙流入部の下面図、図７はこの火災警報器の実装部の下面図、図８はこの火災警報器の縦長スリットを有するアパーチャの正面図である。なお、説明の都合上、図は全て天井設置時の配置とは逆になっており、以下の説明では、上下の表記は天井設置時の配置に基づくものとする。
【００１４】
本実施の形態に係る火災警報器は、検煙部１が、煙流入部１０及び実装部２０等から構成されている。煙流入部１０は、略円筒形状をしており、板部材１１及び壁体１２等から構成されている。板部材１１は略円板状をしており、略中心部に開口部１３が形成されている。また、板部材１１の外周部には、後述する発光素子ホルダ２６及び受光素子ホルダ２７のそれぞれの対応する位置に凸部１１ａ及び凸部１１ｂが形成されている。この板部材１１における下面側の周縁部には、複数の例えば略Ｊ字状の壁体１２が、所定の間隔を空けて、略円環状に立設されている。これにより、煙流入部１０は、上面部が板部材１１によって覆われるように略円筒状に形成されている。壁体１２は、煙流入部１０や実装部２０へ外光が入射することを防止している。また、各壁体１２間に形成された空間（所定の間隔）は、煙流入部１０に煙が流入するための煙流入口１４となっている。煙流入部１０の下面側開口部は蓋体１６により閉塞されており、煙流入部１０内が暗箱となっている。また、煙流入部１０の側面部には、煙流入口１４から虫が侵入することを防止するため、防虫網（図示せず）が設けられている。
【００１５】
煙流入部１０の上方には、実装部２０が設けられている。この実装部２０は、光学台２１、発光素子２２、受光素子２３、遮光部材２４及び光トラップ４０等から構成されている。光学台２１は下部が開口した略円筒形状となっており、発光素子２２を収納するための発光素子ホルダ２６、及び受光素子２３を収納するための受光素子ホルダ２７が設けられている。これら発光素子ホルダ２６及び受光素子ホルダ２７の外側端部は、光学台２１の外周部から突出するように設けられている。また、光学台２１の発光素子２２に対向する周壁の近傍には、発光素子２２から照射された光の反射を繰り返させて減衰させる複数の壁体４０ａでなる光トラップ４０が設けられている。光トラップ４０は、発光素子２２の照射光を十分減衰できるように、他の周壁より半径を大きくしている。また、複数の壁体４０ａは、それぞれの間の周壁に形成する袋小路毎に照射光が所定回数の反射を繰り返すように、発光素子２２に平面部を向けて略直線状に延びている。さらに、複数の壁体４０ａの内側端部のエッジ形状は鋭角としている。これらにより、発光素子２２の照射光は光トラップ４０で確実に減衰できるため、検煙部内に多量の迷光が発生することを防止している。光トラップ４０の複数の壁体４０ａの数や形状は、発光素子２２の照射パターン（図示せず）によって適宜決定される。煙流入部１０が実装部２０の下方に設けられた状態においては、暗箱となっている煙流入部１０が光学台２１の開口部を閉塞する。これにより、光学台２１内も暗箱となっている。また、煙流入部１０が実装部２０の下方に設けられた状態において、煙流入部１０と実装部２０とは、開口部１３を介して連通している。なお、実装部２０の高さは、煙流入部１０の高さよりも大きくなっている。
【００１６】
発光素子ホルダ２６には、例えばフック等からなる一対の保持部材２６ａが設けられている。これら保持部材２６ａに挟持されて、発光素子２２は発光素子ホルダ２６に収納されている。このとき、発光素子２２のリード部は、略直角に曲げられており、発光素子ホルダ２６に形成された貫通孔２６ｂに挿通され、光学台２１の上面部から突出している。また、発光素子２２の発光部の近傍、つまり発光素子ホルダ２６の前面に、発光素子２２の発光部の外径よりも幅狭の縦長スリット３０ａを有するアパーチャ３０が設けられており、左右両側への照射光量を制限できるようになっている。
【００１７】
受光素子２３は、ここでは、例えば半値角が１０°の狭い放射パターンを有するＬＥＤを用いており、シールドケース２８内に設けられ、このシールドケース２８と共に受光素子ホルダ２７に収納されている。シールドケース２８は、上部及び受光素子２３の受光部と対向する範囲が開口した、略角筒形状をしている。このシールドケース２８には例えば押さえ片等からなる保持部材２８ａが設けられており、受光素子２３は、シールドケース２８の側面部と保持部材２８ａに挟持され、シールドケース２８内に設けられている。シールドケース２８の上部には凸部２８ｂが形成されており、この凸部２８ｂを回路基板（図示せず）に形成された開口部に挿通させて半田付けすることによって、シールドケース２８及び受光素子２３は固定されている。
【００１８】
発光素子２２及び受光素子２３が光学台２１内に収納された状態において、発光素子２２はその照射範囲が光学台２１の略中心部を向くように設けられており、受光素子２３はその受光範囲が光学台２１の略中心部を向くように設けられている。また、発光素子２２の光軸と受光素子２３の光軸は、側面視において略平行となり、平面視において所定の角度をなすように設けられている。つまり、発光素子２２の照射範囲と受光素子２３の受光範囲との重合部である煙検出部で煙を検出する。より詳しくは、発光素子２２から照射された光がこの煙検出部に進入する煙によって散乱される光を、受光素子２３は受光する。
【００１９】
また、発光素子２２の光軸と受光素子２３の光軸とのなす角度が鈍角となる側の光学台２１には、遮光部材２４が立設されている。この遮光部材２４の平面視における断面形状は、く字形状をしており、光学台２１の中心部側を略Ｖ字状に切り欠いた形状となっている。これにより、遮光部材２４には、エッジ部２４ａ及びエッジ部２４ｂが形成されている。エッジ部２４ａは、発光素子２２の照射した光を受光素子２３が直接受光することを防止している。エッジ部２４ｂは、エッジ部２４ａで乱反射した迷光を受光素子２３が受光することを防止している。
【００２０】
実装部２０は、回路基板（図示せず）の下面部に実装されている。この回路基板には複数の電気部品（図示せず）が実装されており、これら電気部品が火災判別部等を構成する。そして、火災判別部（図示せず）は、受光素子２３が検出する受光量に基づいて火災が発生したか否かを判別する。受光素子２３が検出する受光量は、例えば電圧等によって火災判別部に出力される。
【００２１】
検煙部１及び回路基板等は、煙流入性が確保された筐体（図示せず）内に設けられ、火災警報器を構成する。そして、この火災警報器は、例えば家屋等の監視空間に設置される。火災警報器が監視空間の天井面に取り付けられた状態においては、火災警報器は、煙流入部１０が下側となって設置される。
【００２２】
火災警報器は、例えばリチウム電池等の電池を駆動源としている。つまり、電池は、検煙部１の発光素子２２や回路基板（図示せず）の火災判別部等に電源供給する。
【００２３】
次に、本実施の形態の火災警報器の動作について説明する。
まず、火災により発生した煙は、監視空間の天井面等に沿って流れ、検煙部１の煙流入部１０に流入する。このとき、遮光部材２４は実装部２０のみに設けられている。つまり、煙流入部１０に遮光部材２４が設けられていない。一方、発光素子２２及び受光素子２３等は、煙流入部１０に設けられていない。したがって、遮光部材２４等が煙流入部１０に流入する煙の流れを遮らず、煙流入部１０の煙流入特性が向上する。なお、遮光部材２４は必ずしも実装部２０のみに設けられている必要はなく、煙流入部１０の煙流入特性が低下しない範囲において、遮光部材２４の先端部が煙流入部１０内に挿入されていてもよい。先端部が煙流入部１０内に挿入するような長さに遮光部材２４を設けることにより、発光素子２２が照射する光を受光素子２３が直接受光することを、より確実に防止することができる。
【００２４】
煙は粒子の質量が小さいため慣性が小さい。よって、流動状態を変化させやすいので、煙流入部１０に流入した煙は、開口部１３を通って実装部２０へ流入する。実装部２０に煙が流入すると、この煙によって発光素子２２の照射した光が散乱する。この散乱光は受光素子２３によって受光される。つまり、受光素子２３の受光量が変化する。そして受光素子２３は、受光量に応じた検出値（電圧等）を火災判別部（図示せず）に出力する。この検出値に基づいて、火災判別部は火災が発生したか否かを判別する。火災が発生したと判断すると、火災判別部は、ＬＥＤ等の発光素子やブザー等の警報装置（図示せず）によって火災が発生したことを周囲に警報する。なお、本実施の形態では、実装部２０の高さ寸法が煙流入部１０の高さ寸法よりも大きくなっているので、煙流入部１０に流入した煙は実装部２０へ流入しやすくなっている。このため、火災判別部（火災警報器）は、精度よく火災を判断することができる。
【００２５】
また、発光素子２２の発光部の近傍に、発光素子２２の発光部の外径よりも幅狭の縦長スリット３０ａを有するアパーチャ３０を設け、左右両側への照射光量を制限したので、縦長スリット３０ａによって発光素子２２の左右方向への照射光をなくすことができ、遮光壁等を反射する迷光の量を少なくでき、Ｓ／Ｎ比を向上させることができる。
【００２６】
また、実装部２０の発光素子２２に対向する周壁の近傍に、発光素子２２から照射された光の反射を繰り返させて減衰させる壁体４０ａでなる光トラップ４０を設けたので、検煙部１に照射された光が遮光壁等を反射する迷光の量を少なくでき、Ｓ／Ｎ比をさらに向上できる。
【００２７】
また、検煙部１が、煙流入部１０の上方に実装部２０を設けた二段式に構成されているので、実装部２０では光トラップだけ形成すればよく、実装部２０の容量を大きくできる。
【００２８】
なお、本実施の形態では、検煙部１が煙流入部１０と実装部２０を二段式に構成された散乱光式の火災警報器に本発明を実施したが、特許文献１のような一段式に構成された火災警報器に本発明を実施してもよい。この場合、複数の壁体１２は光トラップ４０を兼ねる。また、検煙部１が小形化された火災警報器に本発明を実施すればより良い効果が期待できる。
【符号の説明】
【００２９】
１  検煙部、１０  煙流入部、１１  板部材、１１ａ  凸部、１１ｂ  凸部、１２  壁体、１３  開口部、１４  煙流入口、１６  蓋体、２０  実装部、２１  光学台、２２  発光素子、２３  受光素子、２４  遮光部材、２４ａ  エッジ部、２４ｂ  エッジ部、２５  煙検出部、２６  発光素子ホルダ、２６ａ  保持部材、２６ｂ  貫通孔、２７  受光素子ホルダ、２８  シールドケース、２８ａ  保持部材、２８ｂ  凸部、３０  アパーチャ、３０ａ  縦長スリット、４０  光トラップ、４０ａ  壁体。
【図１】
2010238095.tif 000003
【図２】
2010238095.tif 000004
【図３】
2010238095.tif 000005
【図４】
2010238095.tif 000006
【図５】
2010238095.tif 000007
【図６】
2010238095.tif 000008
【図７】
2010238095.tif 000009
【図８】
2010238095.tif 000010